(57)【要約】【課題】ファイル名が重複しないようにデータファイルを管理すること。【解決手段】画像記録部１０４ａは、カメラインターフェース１０３に接続されたカメラ２００からデータファイルのファイル名にかかわらず、データファイルのファイル名が重複しないようにファイル名を変換する。そして、ファイル名を変換したデータファイルをＨＤＤ１０５に記録する。【選択図】図１
2007188151.tif 000002
【特許請求の範囲】
【請求項１】
接続されたカメラからデータファイルを受信する受信手段と、
前記受信手段で受信したデータファイルのファイル名にかかわらず、前記データファイルのファイル名が重複しないようにファイル名を変換するファイル名変換手段と、
前記ファイル名変換手段でファイル名を変換したデータファイルを記録する記録手段とを備えることを特徴とするデータファイル管理装置。
【請求項２】
請求項１に記載のデータファイル管理装置において、
前記記録手段は、前記データファイルをフォルダ分けして記録することを特徴とするデータファイル管理装置。
【請求項３】
請求項２に記載のデータファイル管理装置において、
前記記録手段は、前記カメラが接続された日時情報に基づく名称のフォルダを作成して、作成したフォルダ内に前記データファイルを記録することを特徴とするデータファイル管理装置。
【請求項４】
請求項２に記載のデータファイル管理装置において、
前記記録手段は、前記カメラに固有の固有情報に基づく名称のフォルダを作成して、作成したフォルダ内に前記データファイルを記録することを特徴とするデータファイル管理装置。
【請求項５】
請求項３または４に記載のデータファイル管理装置において、
音声データを入力する音声入力手段をさらに備え、
前記記録手段は、前記カメラが接続されている間に前記音声入力手段を介した音声データの入力があった場合には、前記データファイルを記録するために作成したフォルダ内に、前記音声入力手段を介して入力された音声データを記録することを特徴とするデータファイル管理装置。
【請求項６】
請求項１〜５のいずれか一項に記載のデータファイル管理装置において、
前記受信手段は、前記データファイルを１つずつ受信することを特徴とするデータファイル管理装置。
【請求項７】
請求項１〜５のいずれか一項に記載のデータファイル管理装置において、
前記受信手段は、前記データファイルを複数枚まとめて受信することを特徴とするデータファイル管理装置。
【請求項８】
請求項１〜７のいずれか一項に記載のデータファイル管理装置において、
前記データファイルは、画像ファイル、音声ファイル、および動画ファイルを少なくとも含むことを特徴とするデータファイル管理装置。
【請求項９】
接続されたカメラからデータファイルを受信し、
受信したデータファイルのファイル名にかかわらず、前記データファイルのファイル名が重複しないようにファイル名を変換し、
ファイル名を変換したデータファイルを記録することを特徴とするデータファイル管理方法。
【請求項１０】
コンピュータに、
接続されたカメラからデータファイルを受信する受信手順と、
前記受信手順で受信したデータファイルのファイル名にかかわらず、前記データファイルのファイル名が重複しないようにファイル名を変換するファイル名変換手順と、
前記ファイル名変換手順でファイル名を変換したデータファイルを記録する記録手順とを実行させるためのデータファイル管理プログラム。
【請求項１１】
請求項１〜９に記載のカメラと、請求項１〜９に記載のデータファイル管理装置とを接続したデータファイル管理システム。
【請求項１２】
請求項１１に記載のデータファイル管理システムにおいて、
前記カメラは、データファイルを記録するためのメモリを備え、前記データファイル管理装置に前記データファイルを送信する場合には、前記メモリに前記データファイルを記録しないことを特徴とするデータファイル管理システム。
【発明の詳細な説明】
【技術分野】
【０００１】
本発明は、カメラで撮像した画像を管理するためのデータファイル管理装置、データファイル管理方法、データファイル管理プログラム、およびデータファイル管理システムに関する。
【背景技術】
【０００２】
次のようなフォルダ作成方法が特許文献１によって知られている。このフォルダ作成方法は、デジタルカメラで撮像した画像データをコンピュータに記録するに当たって、既存フォルダのフォルダ名と区別可能な名称のフォルダを作成する。
【０００３】
【特許文献１】特開２００４−５６７０７号公報
【発明の開示】
【発明が解決しようとする課題】
【０００４】
しかしながら、従来のフォルダ作成方法によれば、フォルダ名の重複は防ぐことができるが、カメラから取り込む画像データのファイル名と同じファイル名の画像データが既にコンピュータ内に存在した場合にはファイル名の重複は避けることができないという問題が生じていた。
【課題を解決するための手段】
【０００５】
本発明は、接続されたカメラからデータファイルを受信し、受信したデータファイルのファイル名にかかわらず、データファイルのファイル名が重複しないようにファイル名を変換し、ファイル名を変換したデータファイルを記録することを特徴とする。
このとき、データファイルをフォルダ分けして記録してもよい。さらに、カメラが接続された日時情報に基づく名称のフォルダを作成して、作成したフォルダ内にデータファイルを記録してもよく、接続されたカメラに固有の固有情報に基づく名称のフォルダを作成して、作成したフォルダ内にデータファイルを記録してもよい。そして、カメラが接続されている間に音声データの入力があった場合には、データファイルを記録するために作成したフォルダ内に入力された音声データを記録することが好ましい。
また、データファイルを１つずつ受信してもよく、複数枚まとめて受信してもよい。そして、データファイルは、画像ファイル、音声ファイル、および動画ファイルを少なくとも含むことが好ましい。
さらに、カメラは、データファイル管理装置にデータファイルを送信する場合には、カメラが有するメモリにデータファイルを記録しないことが好ましい。
【発明の効果】
【０００６】
本発明によれば、ファイル名の重複を避けてデータファイルを記録することができる。
【発明を実施するための最良の形態】
【０００７】
図１は、本実施の形態におけるデータファイル管理システムの一実施の形態の構成を示すブロック図である。データファイル管理システム１は、データファイル管理装置１００と、カメラ２００とが所定の接続形態、例えば有線または無線により接続されて構成される。
【０００８】
カメラ２００は、例えばデジタルカメラであり、インターフェース２０１と、レリーズボタン２０２と、撮像部２０３と、ＣＰＵ２０４と、画像処理回路２０５と、バッファメモリ２０６と、メモリカードスロット２０７とを備えている。インターフェース２０１は、例えばＵＳＢインターフェースや無線ＬＡＮモジュールなど、データファイル管理装置１００と有線通信または無線通信を行うためのインターフェースである。
【０００９】
このカメラ２００においては、使用者によってレリーズボタン２０２が押下されると、撮像部２０３によって画像が撮像される。すなわち、撮像部２０３は、レンズやＣＣＤを有し、レンズを通した被写体像はＣＣＤに露光される。そしてＣＣＤに露光された画像データはＣＰＵ２０４へ出力される。その後、画像処理回路２０５において、画像データに種々の画像処理が施された後、所定のファイル形式、例えばＪＰＥＧ形式の画像ファイル（画像データファイル）に圧縮されてバッファメモリ２０６に一時的に記憶される。
【００１０】
このとき、ＣＰＵ２０４は、バッファメモリ２０６に記憶された画像ファイルに対して、固定のファイル名を仮に付与する。例えば、ＤＳＣＮ０００１．ｊｐｇというファイル名を付与する。本実施の形態におけるカメラ２００は、バッファメモリ２０６に記憶した画像ファイルをメモリカードスロット２０７に挿入されたメモリカード内に記憶するか、あるいはインターフェース２０１を介して画像再生記録装置１００へ転送するかを、使用者がモードを切り替えることによって指定することができるようになっている。
【００１１】
そして、画像ファイルをメモリカードに記録するためのモードが指定されている場合には、ＣＰＵ２０４は、バッファメモリ２０６に記憶された画像ファイルをメモリカードスロット２０７に出力してメモリカードに記録する。
【００１２】
これに対して画像ファイルを画像再生記録装置１００へ転送するモードが指定されている場合には、ＣＰＵ２０４は、バッファメモリ２０６に記憶された画像ファイルをインターフェース２０１へ出力して、データファイル管理装置１００へ転送する。すなわち、ＣＰＵ２０４は、撮像部２０３で１枚の画像が撮像され、バッファメモリ２０６内に固定のファイル名が付与されて記憶されるごとに、その画像ファイルをデータファイル管理装置１００へ転送する。
【００１３】
データファイル管理装置１００としては、例えばパーソナルコンピュータ（パソコン）が使用される。このデータファイル管理装置１００は、入力装置１０１と、マイク１０２と、カメラインターフェース１０３と、制御装置１０４と、ＨＤＤ１０５と、モニタ１０６と、スピーカ１０７とを備えている。
【００１４】
入力装置１０１は、キーボードやマウスなど、使用者によって操作される種々の入力部材を含んでいる。マイク１０２は、音声を入力するためのマイクであり、このマイク１０２を介して入力された音声データは制御装置１０４へ出力される。なお、マイク１０２を介した音声入力の開始および終了は、制御装置１０４によって制御される。
【００１５】
カメラインターフェース１０３は、上述したカメラ２００を接続するためのインターフェースである。カメラインターフェース１０３は、接続されたカメラから画像ファイルを受信すると、その画像ファイルを制御装置１０４へ出力する。
【００１６】
制御装置１０４は、ＣＰＵ、メモリ、およびその他周辺回路で構成され、画像記録部１０４ａと、画像出力部１０４ｂとを機能的に備えている。制御装置１０４が有する１０４ａおよび１０４ｂの各部による処理については後述する。
【００１７】
ＨＤＤ１０５は、マイク１０２を介して入力された音声データ、カメラインターフェース１０３を介して取り込んだ画像ファイル、およびデータファイル管理装置１００を動作させるための種々のプログラムを記録するためのハードディスクドライブである。モニタ１０６は、例えば液晶モニタであり、制御装置１０４から出力される画像データを表示する。スピーカ１０７は、制御装置１０４から出力される音声データを出力する。
【００１８】
画像記録部１０４ａは、カメラインターフェース１０３にカメラ２００が接続されたことを検出すると、カメラインターフェース１０３を介した画像ファイルの取り込みが可能な状態、すなわち画像取り込み待機状態となる。同時に、カメラ２００から受信する画像ファイルを格納するためのフォルダをＨＤＤ１０５内に作成する。なお、作成するフォルダの名称（フォルダ名）は、カメラ２００がカメラインターフェース１０３に接続された日時に基づいて付けられ、例えばカメラ２００が２００５年８月８日の１０時にカメラインターフェース１０３に接続された場合には、フォルダ名は「２００５０８０８＿１０００」となる。
【００１９】
画像記録部１０４ａは、カメラ２００で画像が１枚撮像されるごとに画像ファイルが転送されることにより、カメラインターフェース１０２を介して画像ファイルの受信を検出すると、受信した画像ファイルを作成したフォルダ内に記録していく。このとき、上述したように、カメラ２００では画像ファイルに固定のファイル名が付与されていることから、カメラ２００で複数枚の画像が撮像された場合には、全て同じファイル名の画像ファイルを受信することになる。
【００２０】
この場合、受信した画像ファイルをそのままのファイル名でフォルダ内に記録すると、同一ファイル名を同一フォルダ内に記録することになり、画像ファイルが次々と上書きされてしまうことになる。その結果、作成したフォルダ内には、常に最後に受信した画像ファイルのみが上書きされて残ることになり、それ以前に受信した画像ファイルを残すことができないという不具合が生じる。
【００２１】
この不具合を回避するために、本実施の形態では、画像記録部１０４ａは、受信した画像ファイルのファイル名が重複しないように、画像ファイルをフォルダ内に記録する前にファイル名の変換を行う。すなわち、カメラ２００から受信する画像ファイルのファイル名に関わらず、画像記録部１０４ａによる命名規則でファイル名を付与して画像を記録する。本実施の形態では、受信した画像ファイルのファイル名を、ファイルをカメラから受信した順番を示す連番を含めたファイル名に変換することによって、同一フォルダ内に記録する画像ファイルの名称が重複しないようにする方法について説明する。
【００２２】
画像記録部１０４ａは、まず、カメラインターフェース１０３にカメラ２００が接続されたことを検出した時点で制御装置１０４が有するメモリ内に連番をカウントするために使用するカウンタのカウント値を１に初期化する。そして、カメラインターフェース１０２を介して固定ファイル名の画像ファイルを受信すると、そのファイル名を現在のカウント値を使用して変換する。例えば、上述したように受信した画像ファイルのファイル名がＤＳＣＮ０００１．ｊｐｇである場合には、当該ファイル名に含まれる４桁の数字部分がカウント値と同一になるようにファイル名を変換して、上記作成したフォルダ内に記録する。
【００２３】
この例では、受信した画像ファイルのファイル名がＤＳＣＮ０００１．ｊｐｇであることから１枚目の画像ファイルについては変換後のファイル名も同じＤＳＣＮ０００１．ｊｐｇとなる。その後、メモリ内のカウンタのカウント値に１を加算して次の画像を受信するまで待機する。そして、カメラインターフェース１０３を介して２枚目の画像ファイルを受信した場合には、現在のカウント値を使用して画像ファイルを変換して、作成したフォルダ内に記録する。すなわち、カメラ２００で付与されたＤＳＣＮ０００１．ｊｐｇをＤＳＣＮ０００２．ｊｐｇに変換してフォルダ内に記録する。
【００２４】
これによって、カメラインターフェース１０２を介して受信したＤＳＣＮ０００１．ｊｐｇというファイル名の２枚の画像ファイルは、「２００５０８０８＿１０００」フォルダ内に、ＤＳＣＮ０００１．ｊｐｇとＤＳＣＮ０００２．ｊｐｇという異なるファイル名で保存することができる。
【００２５】
その後、３枚目、４枚目・・・と連続して画像ファイルを受信した場合には、画像記録部１０４ａは、ＤＳＣＮ０００３．ｊｐｇ、ＤＳＣＮ０００４．ｊｐｇ・・・というように画像ファイルの数字部分が連番となるようにファイル名を変換してフォルダ内に記録していく。これによって、カメラ２００側で固定のファイル名が付与された画像を取り込んだ場合でも、ファイル名が重複しないようにファイル名を変換して、取り込んだ全ての画像データを同一フォルダ内に保存することが可能となる。
【００２６】
画像記録部１０４ａは、カメラインターフェース１０３とカメラ２００との接続が解除されたことを検出した場合には、一旦処理を中断し、再度カメラインターフェース１０３にカメラ２００が接続されるまで待機する。そして、再びカメラインターフェース１０３にカメラ２００が接続されたことを検出した場合には、その日時に応じた名称のフォルダをＨＤＤ１０５内に作成した後、メモリ内のカウンタのカウント値を１にリセットして、上述した処理を実行する。すなわち、新たに作成したフォルダ内に連番を含めたファイル名に変換した画像ファイルを記録していく。
【００２７】
以下、図２および図３を使用して、画像記録部１０４ａによる画像ファイルの記録例について説明する。図２は、２００５年８月８日の午前８時にカメラインターフェース１０３にカメラ２００が接続された場合の画像記録処理の具体例を模式的に示した図である。この図２に示す例では、カメラ２００で画像２ａおよび画像２ｂの２枚の画像が撮像され、これらの画像が順番にカメラインターフェース１０３を介して入力される場合を示している。この場合、カメラインターフェース１０３を介して入力される画像ファイルのファイル名はいずれもＤＳＣＮ０００１．ｊｐｇである。
【００２８】
画像記録部１０４ａは、まず、上述したようにカメラ２００が接続された日時に応じたフォルダ名のフォルダ２ｃをＨＤＤ１０５内に作成する。すなわち、フォルダ名が「２００５０８０８＿０８００」のフォルダを作成する。そして、メモリ内のカウンタのカウント値を１に初期化した後、順番に入力される画像のファイル名をメモリ内のカウンタのカウント値を使用して連番を含めたファイル名に変換する。すなわち、１枚目の画像２ａはファイル名をＤＳＣＮ０００１．ｊｐｇに変換した画像ファイル２ｄとしてフォルダ２ｃ内に記録し、２枚目の画像２ｂはファイル名をＤＳＣＮ０００２．ｊｐｇに変換した画像ファイル２ｅとしてフォルダ２ｃ内に記録する。
【００２９】
図３は、図２に示す状態から一旦カメラ２００とカメラインターフェース１０３との接続が解除され、その後、２００５年８月８日の午前１０時にカメラインターフェース１０３にカメラ２００が再接続された場合の画像記録処理の具体例を模式的に示した図である。この図３に示す例では、カメラ２００で画像３ａおよび画像３ｂの２枚の画像が撮像され、これらの画像が順番にカメラインターフェース１０３を介して入力される場合を示している。この場合もカメラインターフェース１０３を介して入力される画像ファイルのファイル名はいずれもＤＳＣＮ０００１．ｊｐｇである。
【００３０】
画像記録部１０４ａは、新たにカメラ２００が接続された日時に応じたフォルダ名のフォルダ３ｃをＨＤＤ１０５内に作成する。すなわち、フォルダ名が「２００５０８０８＿１０００」のフォルダ３ｃを作成する。そして、メモリ内のカウンタのカウント値を１に初期化した後、順番に入力される画像のファイル名をメモリ内のカウンタのカウント値を使用して連番を含めたファイル名に変換する。すなわち、１枚目の画像３ａはファイル名をＤＳＣＮ０００１．ｊｐｇに変換した画像ファイル３ｄとしてフォルダ３ｃ内に記録し、２枚目の画像３ｂはファイル名をＤＳＣＮ０００２．ｊｐｇに変換した画像ファイル３ｅとしてフォルダ３ｃ内に記録する。
【００３１】
以上説明した処理によって、画像記録部１０４ａは、カメラインターフェース１０３にカメラ２００が接続された日時ごとにフォルダ分けして画像を保存することができる。さらにカメラ２００で固定のファイル名が付与された画像ファイルのファイル名を連番を含めたファイル名に変換してから記録することにより、各フォルダ内での画像ファイル名が重複しないようにすることができる。
【００３２】
図４は、本実施の形態におけるデータファイル管理装置１００の処理を示すフローチャートである。図４に示す処理は、使用者によって入力装置１０１が操作され、データファイル管理装置１００のスイッチがオンされると起動するプログラムとして制御装置１０４によって実行される。
【００３３】
ステップＳ１０において、画像記録部１０４ａは、カメラインターフェース１０３にカメラ２００が接続されたか否かを判断する。カメラ２００が接続されていないと判断した場合には、後述するステップＳ７０へ進む。これに対して、カメラ２００が接続されたと判断した場合には、ステップＳ２０へ進む。ステップＳ２０では、カメラ２００がカメラインターフェース１０３に接続された日時（現在日時）に応じたフォルダ名のフォルダをＨＤＤ１０５内に作成して、ステップＳ３０へ進む。
【００３４】
ステップＳ３０では、画像記録部１０４ａは、カメラインターフェース１０３を介してカメラ２００から画像ファイルを受信したか否かを判断する。画像ファイルを受信していないと判断した場合には、後述するステップＳ６０へ進む。これに対して、画像ファイルを受信したと判断した場合には、ステップＳ４０へ進む。
【００３５】
ステップＳ４０では、画像記録部１０４ａは、上述したようにメモリ内に記憶したカウンタのカウンタ値を使用して、ステップＳ２０で作成したフォルダ内で連番となるように画像ファイルのファイル名を変換して、ステップＳ５０へ進む。ステップＳ５０では、ステップＳ４０でファイル名を変換した後の画像ファイルをＨＤＤ１０５内のステップＳ２０で作成したフォルダ内に記録する。その後、ステップＳ６０へ進む。
【００３６】
ステップＳ６０では、画像記録部１０４ａは、カメラ２００とカメラインターフェース１０３との接続が解除されたか否かを判断する。接続が解除されていないと判断した場合には、ステップＳ３０へ戻って処理を繰り返す。これに対して、接続が解除されたと判断した場合には、ステップＳ７０へ進む。
【００３７】
ステップＳ７０では、画像出力部１０４ｂは、使用者によって入力装置１０１が操作され、画像のモニタ１０６への出力が指示されたか否かを判断する。画像の出力が指示されていないと判断した場合には、後述するステップＳ９０へ進む。一方、画像の出力が指示されたと判断した場合には、ステップＳ８０へ進む。ステップＳ８０では、画像出力部１０４ｂは、上述した処理でファイル名を変換して記録された画像ファイルを読み込んで、画像をモニタ１０４に表示する。その後、ステップＳ９０へ進む。
【００３８】
ステップＳ９０では、使用者によって入力装置１０１が操作され、データファイル管理装置１００の電源がオフされたか否かを判断する。電源がオフされていないと判断した場合には、ステップＳ１０へ戻って処理を繰り返す。これに対して、電源がオフされたと判断した場合には、処理を終了する。
【００３９】
以上説明した本実施の形態によれば、以下のような作用効果を得ることができる。
（１）画像記録部１０４ａは、カメラインターフェース１０３にカメラ２００が接続されたことを検出した場合には、このときの日時に応じた名称のフォルダを作成して、そのフォルダ内にカメラ２００から取り込んだ画像ファイルを記録するようにした。これによって、画像ファイルを取り込んだ日時に応じたフォルダに振り分けて記録することができ、使用者による画像整理の手間を省くことができる。
【００４０】
（２）画像記録部１０４ａは、カメラ２００で撮像された固定ファイル名の画像ファイルを作成したフォルダ内に記録するに当たっては、各画像ファイルのファイル名を連番を含めたファイル名に変換するようにした。これによって、カメラ２００から受信する画像ファイルのファイル名に関わらず、画像記録部１０４ａによる命名規則でファイル名を付与することができ、同一フォルダ内に記録する画像ファイルのファイル名が重複することを防止することができる。
【００４１】
―変形例―
なお、上述した実施の形態のデータファイル管理装置は、以下のように変形することもできる。
（１）上述した実施の形態では、画像記録部１０４ａは、カメラ２００の接続日時に応じて作成したフォルダ内にカメラ２００から受信した画像ファイルのみを記録する例について説明した。しかしこれに限定されず、カメラ２００が接続されている間にマイク１０２から入力された音声データを記録しておき、当該音声データに基づく音声ファイルも同一ファイル内に記録するようにしてもよい。すなわち、使用者は入力装置１０１を操作してモニタ１０６上に操作メニューを表示してマイク１０２を介した音声入力の開始を指示することができるようにする。そして、画像記録部１０４ａは、カメラインターフェース１０３にカメラ２００が接続されたときに、使用者によって入力装置１０１が操作され、音声の記録開始が指示された場合には、マイク１０２から入力される音声データの記録を開始する。
【００４２】
そして、画像記録部１０４ａは、カメラインターフェース１０３とカメラ２００との接続解除が検出されるまでの間、マイク１０２を介して入力される音声データを、カメラ２００の接続日時に応じて作成した画像ファイルを記録するフォルダ内に記録する。その後、カメラ２００とカメラインターフェース１０３との接続が解除されたことが検出された時点で、音声データの記録を停止する。
【００４３】
すなわち、画像記録部１０４ａは、カメラインターフェース１０３にカメラ２００が接続され、使用者によって音声記録の開始が指示されてから、カメラインターフェース１０３とカメラ２００との接続が開錠されるまでの間にマイク１０２から入力される音声データを、カメラ２００の接続日時に応じて作成されたフォルダ内に画像ファイルと共に記録する。これによって、使用者はカメラ２００で撮像した画像データに音声データを対応付けてＨＤＤ１０３に記録することが可能となる。
【００４４】
例えば、図５に示すように、画像記録部１０４ａは、カメラ２００から受信した画像５ａおよび画像５ｂを上述したようにファイル名を変換して画像５ｄおよび５ｅとしてフォルダ５ｃ内に記録する。これと同時に、マイク１０２から入力される音声データ５ｆをフォルダ５ｃ内に記録する。
【００４５】
この場合、画像出力部１０４ｂは、使用者によって入力装置１０１が操作されて画像５ｄまたは５ｅの表示が指示された場合には、これらの画像をモニタ１０６に出力して表示すると同時に、同一フォルダ内に記録されている音声データ５ｆをスピーカ１０７を介して出力する。また、逆に、画像出力部１０４ｂは、使用者によって入力装置１０１が操作されて音声データ５ｆの再生が指示された場合には、音声データ５ｆをスピーカ１０７を介して出力すると同時に、同一フォルダ内に記録されている画像５ｄおよび５ｅをモニタ１０６に出力して表示する。
【００４６】
このように、画像ファイルと音声ファイルとを同一フォルダ内に記録することによって、両者を関連付けて保存することができる。さらに、いずれか一方の出力が指示された場合には関連するもう一方も出力することで、関連する画像と音声とを同時に出力することができる。
【００４７】
（２）上述した実施の形態では、カメラ２００は、１枚の画像を撮像するごとに、撮像した画像データをカメラインターフェース１０３を介してデータファイル管理装置１００へ転送する例について説明した。しかしこれに限定されず、カメラ２００側で複数枚の撮像画像を蓄えておき、使用者によって転送が指示された時点で蓄えておいた複数枚の撮像画像を転送するようにしてもよい。この場合、カメラ２００側では、蓄えられた撮像画像に対しては連番を含めたファイル名が付与されているものとする。
【００４８】
このとき、画像記録部１０４ａは、上述したようにカメラインターフェース１０３にカメラ２００が接続された日時に応じた名称のフォルダを作成し、同一フォルダ内に記録する画像ファイルのファイル名が重複しないように、上述したファイル名変換処理を施す。図６は、この変形例における画像記録処理の具体例を模式的に示した図である。図６に示す例では、２００５年８月８日の午後０時にカメラインターフェース１０３にカメラ２００が接続されており、画像記録部１０４ａは、名称を「２００５０８０８＿１２００」としたフォルダ６ｅをＨＤＤ１０５内に作成している。
【００４９】
そして、カメラ２００から画像ファイル６ａ（ＤＳＣＮ０００１．ｊｐｇ）および６ｂ（ＤＳＣＮ０００２．ｊｐｇ）がまとめて送信された場合には、画像記録部１０４ａは、これらの画像が連番を含めたファイル名となるように変換して作成したフォルダ６ｅ内に記録する。すなわち、この場合はカメラ２００から取り込んだ時点で既に２枚の画像ファイルに連番が付加されていることから、結果として同じファイル名で２枚の画像ファイル６ｆおよび６ｇをフォルダ６ｅ内に記録されることになる。
【００５０】
その後、カメラインターフェース１０３とカメラ２００との接続が解除されることなく、さらにカメラ２００から２枚の画像ファイル画像ファイル６ｃ（ＤＳＣＮ０００１．ｊｐｇ）および６ｄ（ＤＳＣＮ０００２．ｊｐｇ）がまとめて送信された場合には、画像記録部１０４ａは、これらのファイル名が既にフォルダ６ｅ内に記録されている画像ファイルのファイル名と重複しないように、ファイル名を変換する。すなわち、既にフォルダ６ｃ内に記録されている画像ファイルのファイル名と連番になるように、画像ファイル６ｃおよび６ｄのファイル名をＤＳＣＮ０００３．ｊｐｇおよびＤＳＣＮ０００４．ｊｐｇに変換した画像ファイル６ｈおよび６ｉをフォルダ６ｅ内に記録する。
【００５１】
これによって、例えば、カメラ２００において使用者が複数枚の画像を連写し、１枚ずつ画像を転送することが困難な場合に、カメラ２００は複数枚の画像をまとめて転送することができるようになる。そしてこのような場合でも、画像記録部１０４ａは同一フォルダ内に記録する画像ファイルのファイル名が重複することを防いで、カメラ２００から受信した画像を上書きされることなく全て保存することができる。
【００５２】
（３）上述した実施の形態では、画像記録部１０４ａは、カメラ２００から受信した画像ファイルをカメラ２００の接続日時に応じた名称のフォルダ内に記録する例について説明した。しかしこれに限定されず、カメラインターフェース１０３に接続されるカメラが複数台あることを想定して、カメラインターフェース１０３に接続されたカメラ２００を識別するための識別情報、例えばカメラＩＤを取得して、その識別情報をフォルダ名としたフォルダを作成した後、そのフォルダ内に上述した実施の形態と同様のカメラの接続日時に応じた名称のフォルダを作成するようにしてもよい。
【００５３】
例えば、図７に示すように、カメラインターフェース１０３に接続されたカメラＩＤが「ｘｘｘｘｘｘｘ０１」である場合には、当該ＩＤをフォルダ名とするフォルダ７ｄをＨＤＤ１０５内に作成し、そのフォルダ内にさらにカメラの接続日時に応じた名称のフォルダ７ｅを作成する。そして、上述した実施の形態と同様に、カメラから受信した画像ファイル７ｂおよび７ｃのファイル名が重複しないように変換した後に、フォルダ７ｅ内に画像ファイル７ｆおよび７ｇを記録する。
【００５４】
これによって、カメラインターフェース１０３に異なる複数台のカメラが接続される場合であっても、各カメラごとにフォルダ分けして画像を記録することができ、使用者の利便性を向上することができる。
【００５５】
（４）上述した実施の形態では、データファイル管理装置１００がカメラインターフェース１０３に接続されたカメラ２００から受信するデータファイルは画像ファイルのみである場合について説明した。しかしこれに限定されず、その他のデータファイルを受信する場合にも適用可能である。例えばカメラ２００が音声記録機能や動画記録機能を備えている場合には、画像ファイル以外の音声ファイルや動画ファイルも受信して、上述した実施の形態と同様にファイル名が重複することを防止することができる。
【００５６】
例えば、図８に示すように、カメラ２００から画像ファイル８ａと共に音声ファイル８ｂを受信した場合には、画像記録部１０４ａは、作成したフォルダ８ｃ内にファイル名が重複しないように変換した後の画像ファイル８ｄと音声ファイル８ｅとを記録する。なお、画像ファイルと音声ファイルとは、ファイル名に付加される拡張子が異なることから、異なる拡張子のデータファイル間では拡張子より前の名称が同じであっても上書きされることはない。よって、画像記録部１０４ａは、拡張子が同一のファイル間でファイル名が重複しないようにファイル名を変換すればよい。
【００５７】
これによって、カメラインターフェース１０３に接続されるカメラ２００が画像ファイル以外にも動画ファイルや音声ファイルなどの多数の形式のファイルを作成することができる場合であっても、各ファイル形式ごとに異なるファイル名を付与してフォルダ内に記録することができる。
【００５８】
（５）上述した実施の形態では、画像記録部１０４ａは、同一フォルダ内でファイル名が重複することを防ぐために、カメラ２００から受信した画像ファイルのファイル名を、メモリ内に記憶したカウンタのカウント値を使用してファイル名に連番を含めるように変換する例について説明した。しかしこれに限定されず、その他の命名規則によって重複しないファイル名に変換するようにしてもよい。
【００５９】
（６）上述した実施の形態では、データファイル管理装置１００に音声を入力するためのマイク１０２と、音声を出力するためのスピーカ１０７とを備える例について説明した。しかしこれに限定されず、マイクを接続するための音声入力端子と、スピーカやヘッドホンを接続するための音声出力端子を設けて、使用者が好みのマイクやスピーカを使用できるようにしてもよい。また、モニタ１０６についても同様にモニタ接続用の映像出力端子を設けるようにしてもよい。
【００６０】
（７）上述した実施の形態では、データファイル管理装置１００としてパソコンを用いる例について説明したが、これに限定されず、上述した処理を実行可能な制御装置を備えるその他の情報機器に適用することも可能である。
【００６１】
（８）上述した実施の形態では、データファイル管理装置１００における画像ファイルの記録媒体としてＨＤＤ１０５を用いる例について説明したが、これに限定されず、半導体フラッシュメモリ等の他の記録媒体を用いることも可能である。
【００６２】
なお、本発明の特徴的な機能を損なわない限り、本発明は、上述した実施の形態における構成に何ら限定されない。
【図面の簡単な説明】
【００６３】
【図１】データファイル管理装置の一実施の形態の構成を示すブロック図である。
【図２】画像記録処理の具体例を模式的に示す第１の図である。
【図３】画像記録処理の具体例を模式的に示す第２の図である。
【図４】データファイル管理装置１００の処理を示すフローチャート図である。
【図５】画像および音声記録方法の具体例を模式的に示す図である。
【図６】変形例における画像記録処理の具体例を模式的に示す第１の図である。
【図７】変形例における画像記録処理の具体例を模式的に示す第２の図である。
【図８】変形例における画像および音声記録方法の具体例を模式的に示す図である。
【符号の説明】
【００６４】
１００  データファイル管理装置、１０１  入力装置、１０２  マイク、１０３  カメラインターフェース、１０４  制御装置、１０４ａ  画像記録部、１０４ｂ  画像出力部、１０５  ＨＤＤ、１０６  モニタ、１０７  スピーカ、２００  カメラ、２０１  インターフェース、２０２  レリーズスイッチ、２０３  撮像部、２０４  ＣＰＵ、２０５  画像処理回路、２０６  バッファメモリ、２０７  メモリカードスロット
【図１】
2007188151.tif 000003
【図２】
2007188151.tif 000004
【図３】
2007188151.tif 000005
【図４】
2007188151.tif 000006
【図５】
2007188151.tif 000007
【図６】
2007188151.tif 000008
【図７】
2007188151.tif 000009
【図８】
2007188151.tif 000010